(57)【要約】【課題】内燃機関が主目的の運転を開始するときに、主目的ではない他の目的の運転を極力早く停止する技術を提供する。【解決手段】本開示の一態様における内燃機関制御装置は、Ｓ４０４において、内燃機関が主目的の運転を停止しているときに、主目的の運転を開始させる第１のタイミングを予測する。Ｓ４１０において内燃機関制御装置は、内燃機関が主目的の運転を停止しているときに、他の目的で内燃機関を運転するか停止するかを判定するパラメータを取得する。Ｓ４１２において内燃機関制御装置は、他の目的で運転している内燃機関が停止すると、パラメータが低下して第１のタイミングで第１の閾値に達するか、あるいは、パラメータが上昇して第１のタイミングで第２の閾値に達するように、内燃機関を停止する第２のタイミングを設定する。Ｓ４１８において内燃機関制御装置は、第２のタイミングで内燃機関を停止するように制御部に指令する。【選択図】図２
2018159297.tif 000002
【特許請求の範囲】
【請求項１】
内燃機関制御装置（３０）であって、
内燃機関（２）が主目的の運転を停止しているときに、前記主目的ではない他の目的で前記内燃機関を運転するか停止するかを判定するためのパラメータを取得するパラメータ取得部（Ｓ４０８、Ｓ４４８）と、
前記内燃機関が主目的の運転を停止しているときに、前記パラメータ取得部が取得する前記パラメータが第１の閾値以下になるか、あるいは前記パラメータが前記第１の閾値よりも大きい第２の閾値以上になると、前記内燃機関を前記他の目的で運転し、前記パラメータが前記第１の閾値以下になると前記内燃機関を前記他の目的で運転する場合は前記パラメータが前記第２の閾値以上になると前記内燃機関を停止し、前記パラメータが前記第２の閾値以上になると前記内燃機関を前記他の目的で運転する場合は前記パラメータが前記第１の閾値以下になると前記内燃機関を停止するように、前記内燃機関を制御する制御部（７０）に指令するように構成された第１の指令部（Ｓ４０２、Ｓ４４２）と、
前記内燃機関が前記主目的の運転を停止しているときに、前記内燃機関に前記主目的の運転を開始させる第１のタイミングを予測するように構成された開始タイミング予測部（Ｓ４０４、Ｓ４２０〜Ｓ４２４、Ｓ４４４）と、
前記他の目的で運転している前記内燃機関が停止すると、前記パラメータが低下して前記開始タイミング予測部が予測する前記第１のタイミングで前記パラメータが前記第１の閾値に達するか、あるいは、前記パラメータが上昇して前記第１のタイミングで前記パラメータが前記第２の閾値に達するように、前記内燃機関を停止する第２のタイミングを設定するように構成された停止タイミング設定部（Ｓ４１２、Ｓ４５０）と、
前記停止タイミング設定部が設定する前記第２のタイミングで前記内燃機関を停止するように前記制御部に指令するように構成された第２の指令部（Ｓ４１６、Ｓ４１８、Ｓ４５２、Ｓ４５４）と、
を備える内燃機関制御装置。
【請求項２】
請求項１に記載の内燃機関制御装置であって、
前記他の目的で運転している前記内燃機関が停止すると前記パラメータが低下する場合、前記第１のタイミングで前記第１の閾値に達する前記パラメータの低下特性を取得し、前記他の目的で運転している前記内燃機関が停止すると前記パラメータが上昇する場合、前記第１のタイミングで前記第２の閾値に達する前記パラメータの上昇特性を取得するように構成された特性取得部（Ｓ４４６）をさらに備え、
前記停止タイミング設定部（Ｓ４５０）は、前記他の目的で前記内燃機関が運転しているときに、前記パラメータ取得部が取得する前記パラメータが前記低下特性上または前記上昇特性上に達するタイミングを前記第２のタイミングとして設定するように構成されている、
内燃機関制御装置。
【請求項３】
請求項１に記載の内燃機関制御装置であって、
前記他の目的で運転している前記内燃機関が停止すると前記パラメータが低下する場合、前記第１のタイミングで前記第１の閾値に達する前記パラメータの第１の低下特性を取得し、前記他の目的で運転している前記内燃機関が停止すると前記パラメータが上昇する場合、前記第１のタイミングで前記第２の閾値に達する前記パラメータの第１の上昇特性を取得し、前記他の目的で前記内燃機関が運転すると前記パラメータが上昇する場合、前記パラメータの第２の上昇特性を取得し、前記他の目的で前記内燃機関が運転すると前記パラメータが低下する場合、前記パラメータの第２の低下特性を取得するように構成された特性取得部（Ｓ４０６、Ｓ４１０）をさらに備え、
前記停止タイミング設定部（Ｓ４１２）は、前記第１の低下特性と前記第２の上昇特性とが交差するタイミング、あるいは前記第１の上昇特性と前記第２の低下特性とが交差するタイミングを前記第２のタイミングとして設定するように構成されている、
内燃機関制御装置。
【請求項４】
請求項２または３に記載の内燃機関制御装置であって、
前記第２の指令部（Ｓ４１６、Ｓ４５２）は、前記第２のタイミングと前記第１のタイミングとの時間差が所定時間未満の場合、前記制御部に前記第２のタイミングで前記内燃機関を停止するように指令しないように構成されている、
内燃機関制御装置。
【請求項５】
請求項１から４のいずれか一項に記載の内燃機関制御装置であって、
前記開始タイミング予測部は、前記内燃機関が前記主目的の運転を停止してからの経過時間と、前記経過時間で前記内燃機関が前記主目的の運転を開始する回数との運転開始特性を前記経過時間の最大値まで積分し、前記最大値までの積分に対するそれぞれの前記経過時間までの部分積分の比を運転開始確率とし、前記運転開始確率が所定の確率になるときの前記経過時間に基づいて前記第１のタイミングを予測するように構成されている、
内燃機関制御装置。
【請求項６】
請求項５に記載の内燃機関制御装置であって、
前記開始タイミング予測部は、前記経過時間と前記運転開始確率の確率特性に基づいて、前記所定の確率を設定するように構成されている、
内燃機関制御装置。
【請求項７】
請求項１から４のいずれか一項に記載の内燃機関制御装置であって、
前記内燃機関は車両に搭載されており、
前記開始タイミング予測部は、前記車両が信号機の信号が赤のために停止を開始するときの車速と、前記車両が減速してから停止するまでの時間との少なくとも一方に基づいて、前記信号が赤から青に切り替わる信号タイミングを予測し、前記信号タイミングに基づいて前記第１のタイミングを予測するように構成されている、
内燃機関制御装置。
【発明の詳細な説明】
【技術分野】
【０００１】
本開示は、内燃機関が主目的の運転を停止してから主目的の運転を開始するまでの間に、主目的ではない他の目的で運転する内燃機関を制御する技術に関する。
【背景技術】
【０００２】
車両の動力源として電動モータと内燃機関とを備えるハイブリッド車両、あるいはアイドルストップを実行する車両では、所定条件が成立すると、車両を走行させるトルクを発生するという内燃機関の主目的の運転を停止することがある。ハイブリッド車両では電動モータだけで走行する場合、あるいは、アイドルストップを実行する車両では車両が所定時間以上停止してアイドルストップの開始条件が成立する場合、内燃機関の主目的の運転が停止される。
【０００３】
内燃機関が主目的の運転を停止しているときに、主目的ではない他の目的で内燃機関を運転することがある。特許文献１には、電動モータが発生するトルクによりハイブリッド車両が走行しているときに冷却水温が下限値以下になると、車両の走行トルクを発生する主目的ではない他の目的として、冷却水温を上昇させる目的で内燃機関を運転する技術が記載されている。冷却水温が上限値以上になると、内燃機関は他の目的の運転を停止する。
【０００４】
このように、内燃機関が主目的の運転を停止しているときに、冷却水温に基づいて主目的ではない他の目的で内燃機関が運転を開始したり停止したりすることにより、冷却水温は下限値と上限値との間で維持される。
【先行技術文献】
【特許文献】
【０００５】
【特許文献１】特開２０１６−０１３８００号公報
【発明の概要】
【発明が解決しようとする課題】
【０００６】
内燃機関が冷却水温を上昇させる他の目的のために運転しているときに、内燃機関が主目的の運転を開始する可能性がある。内燃機関が主目的の運転を開始すると冷却水温は上昇する。したがって、内燃機関が主目的の運転を開始するときに冷却水温が下限値以下でなければ、主目的の運転を開始するまで、内燃機関は冷却水温を上昇させる他の目的の運転を継続する必要はない。
【０００７】
特許文献１に記載の技術では、内燃機関が主目的の運転を開始するまで他の目的で運転を継続する可能性があるという課題が見出された。
本開示は、内燃機関が主目的の運転を開始するときに、主目的ではない他の目的の運転を極力早く停止する技術を提供できることが望ましい。
【課題を解決するための手段】
【０００８】
本開示の一態様における内燃機関制御装置（３０）は、パラメータ取得部（Ｓ４０８、Ｓ４４８）と、第１の指令部（Ｓ４０２、Ｓ４４２）と、開始タイミング予測部（Ｓ４０４、Ｓ４２０〜Ｓ４２４、Ｓ４４４）と、停止タイミング設定部（Ｓ４１２、Ｓ４５０）と、第２の指令部（Ｓ４１６、Ｓ４１８、Ｓ４５２、Ｓ４５４）と、を備えている。
【０００９】
パラメータ取得部は、内燃機関（２）が主目的の運転を停止しているときに、主目的ではない他の目的で内燃機関を運転するか停止するかを判定するためのパラメータを取得する。
【００１０】
第１の指令部（Ｓ４０２、Ｓ４４４）は、内燃機関が主目的の運転を停止しているときに、パラメータ取得部が取得するパラメータが第１の閾値以下になるか、あるいはパラメータが第１の閾値よりも大きい第２の閾値以上になると、内燃機関を他の目的で運転し、パラメータが第１の閾値以下になると内燃機関を他の目的で運転する場合はパラメータが第２の閾値以上になると内燃機関を停止し、パラメータが第２の閾値以上になると内燃機関を他の目的で運転する場合はパラメータが第１の閾値以下になると内燃機関を停止するように、内燃機関を制御する制御部（７０）に指令する。
【００１１】
開始タイミング予測部は、内燃機関が主目的の運転を停止しているときに、内燃機関に主目的の運転を開始させる第１のタイミングを予測する。
停止タイミング設定部は、他の目的で運転している内燃機関が停止すると、パラメータが低下して開始タイミング予測部が予測する第１のタイミングでパラメータが第１の閾値に達するか、あるいは、パラメータが上昇して第１のタイミングでパラメータが第２の閾値に達するように、内燃機関を停止する第２のタイミングを設定する。
【００１２】
第２の指令部は、停止タイミング設定部が設定する第２のタイミングで内燃機関を停止するように制御部に指令する。
ここで、内燃機関が主目的の運転を停止している状態で、内燃機関が他の目的の運転を停止しても、パラメータが第１の閾値と第２の閾値との間であれば、内燃機関を他の目的で運転する必要はない。
【００１３】
そこで、本開示では、内燃機関が他の目的で運転しているときに、内燃機関が主目的の運転を開始する第１のタイミングを予測する。そして、他の目的で運転している内燃機関を停止すると、パラメータが低下して第１のタイミングでパラメータが第１の閾値に達するか、あるいはパラメータが上昇して第１のタイミングでパラメータが第２の閾値に達するように、内燃機関を停止する第２のタイミングを設定する。
【００１４】
これにより、内燃機関が主目的の運転を開始する第１のタイミングまで他の目的のために内燃機関を運転する必要はなく、第１のタイミングよりも早い第２のタイミングで内燃機関を停止できる。その結果、内燃機関の他の目的での運転時間が短くなるので、内燃機関の燃料消費量を低減できる。
【００１５】
尚、この欄および特許請求の範囲に記載した括弧内の符号は、一つの態様として後述する実施形態に記載の具体的手段との対応関係を示すものであって、本開示の技術的範囲を限定するものではない。
【図面の簡単な説明】
【００１６】
【図１】第１実施形態の内燃機関制御システムを示すブロック図。
【図２】内燃機関制御処理を示すフローチャート。
【図３】運転開始タイミングの予測処理を示すフローチャート。
【図４】冷却水温の低下特性設定処理を示すフローチャート。
【図５】内燃機関制御処理による冷却水温の変化を示すタイムチャート。
【図６】主目的の運転停止からの経過時間と主目的の運転開始回数との関係を示す特性図。
【図７】車両内外からの情報毎に経過時間と主目的の運転開始回数との関係を作成することを示す説明図。
【図８】経過時間と経過時間での主目的の運転開始確率との関係を示す特性図。
【図９】経過時間と経過時間での主目的の運転開始確率との他の関係を示す特性図。
【図１０】第２実施形態の内燃機関制御処理を示すフローチャート。
【図１１】第３実施形態の冷却水温とＳＯＣと主目的の運転開始タイミングとの関係を示すタイムチャート。
【図１２】第４実施形態の内燃機関制御処理によるＳＯＣの変化を示すタイムチャート。
【図１３】第５実施形態における内燃機関の停止時間の合計と主目的の運転開始確率との関係を説明する示す特性図。
【図１４】第６実施形態における信号手前での車速の変化を示すタイムチャート。
【図１５】信号手前での減速開始時の車速と車速の変化とを示すタイムチャート。
【発明を実施するための形態】
【００１７】
以下、本開示の実施形態を図に基づいて説明する。
［１．第１実施形態］
［１−１．構成］
図１に示す内燃機関制御システム１０は、ハイブリッド車両に搭載され、内燃機関２と図示しない電動モータとが発生するトルクを制御する。以下、ハイブリッド車両をＨＶとも言い、内燃機関をエンジンとも言う。内燃機関制御システム１０は、ＨＶ−ＥＣＵ３０と、周辺環境センサ群４０と、ナビゲーション装置５０と、通信装置６０と、エンジンＥＣＵ７０とを備えている。ＥＣＵはElectronic Control Unitの略である。
【００１８】
ＨＶ−ＥＣＵ３０は、エンジン２に設置された水温計４から冷却水温を取得し、電動モータに電力を供給するバッテリ６からバッテリ６のＳＯＣを取得する。ＳＯＣはState of Chargeの略である。ＨＶ−ＥＣＵ３０は、カメラ、ミリ波レーダ、ＬＩＤＡＲ等の周辺環境センサ群４０から自車両の周辺環境に関する情報を取得する。ＬＩＤＡＲはLight Detection and Rangingの略である。自車両の周辺環境は、歩行者、他車両、信号機等の車両の周囲の物体である。
【００１９】
ＨＶ−ＥＣＵ３０は、ナビゲーション装置５０から自車両の位置と、自車両が走行している道路の勾配および曲率等の道路形状と、自車両が走行している道路に設置されている信号機の位置と、自車両の走行ルート等を取得する。ナビゲーション装置５０は、ＧＰＳ衛星等の測位衛星から測位信号を取得し、自車両の現在位置を緯度、経度により測位する。ナビゲーション装置５０は、測位した自車両の現在位置を地図ＤＢの地図データ上にマッピングし、地図データ上の自車両の現在位置を検出する。
【００２０】
ＨＶ−ＥＣＵ３０は、通信装置６０を使用する車車間通信、路車間通信等により、前方車両の発進タイミング、自車両前方の信号機の信号が変化するタイミング、道路の混雑状況を車両の外部から取得する。
【００２１】
ＨＶ−ＥＣＵ３０は、水温計４とバッテリ６と周辺環境センサ群４０とナビゲーション装置５０と通信装置６０と図示しない車両センサとから取得する情報に基づき、バッテリ６から図示しない電動モータに供給する電力の制御処理と、エンジン２を運転するか停止するかをエンジンＥＣＵ７０に指令する内燃機関制御処理とを実行する。
【００２２】
ＨＶ−ＥＣＵ３０とエンジンＥＣＵ７０とは、それぞれＣＰＵとＲＯＭとＲＡＭとフラッシュメモリとなどを備えるマイクロコンピュータにより構成されている。ＲＯＭとＲＡＭとフラッシュメモリとは、非遷移的実体的記録媒体である半導体メモリである。ＨＶ−ＥＣＵ３０とエンジンＥＣＵ７０とは、それぞれ一つのマイクロコンピュータを搭載してもよいし、複数のマイクロコンピュータを搭載してもよい。
【００２３】
ＨＶ−ＥＣＵ３０とエンジンＥＣＵ７０との各種機能は、ＣＰＵが非遷移的実体的記録媒体に記憶されているプログラムを実行することにより実現される。このプログラムをＣＰＵが実行することで、プログラムに対応する方法が実行される。
【００２４】
ＨＶ−ＥＣＵ３０とエンジンＥＣＵ７０との各種機能を実現する手法は、ソフトウェアに限るものではなく、その一部または全部の要素を、論理回路やアナログ回路等を組み合わせたハードウェアを用いてもよい。
【００２５】
ＨＶ−ＥＣＵ３０は、車両を走行させるトルクを発生する主目的の走行用運転以外にも、暖房中に冷却水温を上昇させたり、バッテリ６を充電したり、排気触媒の温度を上昇させたり、冷房時に空調装置のコンプレッサーを駆動したりする他の目的のために、エンジン２を運転するようにエンジンＥＣＵ７０に指令する。
【００２６】
ＨＶ−ＥＣＵ３０は、エンジン２が主目的の走行用運転を停止しているときに、冷却水温、ＳＯＣ、触媒温度のそれぞれの値が冷却水温、ＳＯＣ、触媒温度に応じて設定された第１の閾値以下になると、エンジン２の他の目的の運転を開始するようにエンジンＥＣＵ７０に指令する。
【００２７】
そして、ＨＶ−ＥＣＵ３０は、エンジン２が主目的の走行用運転を停止しているときに、冷却水温、ＳＯＣ、触媒温度のそれぞれの値が第１の閾値よりも大きい第２の閾値以上になると、他の目的でのエンジン２の運転を停止するようにエンジンＥＣＵ７０に指令する。
【００２８】
また、ＨＶ−ＥＣＵ３０は、エンジン２が主目的の走行用運転を停止しているときに、空調装置のエバポレータの温度がエバポレータの温度に応じて設定された第１の閾値よりも大きい第２の閾値以上になると、他の目的でエンジン２の運転を開始してコンプレッサーを駆動するようにエンジンＥＣＵ７０に指令する。エンジン２が運転を開始しコンプレッサーを駆動すると、エバポレータの温度が低下する。
【００２９】
そして、ＨＶ−ＥＣＵ３０は、エンジン２が主目的の走行用運転を停止しているときに、エバポレータの温度がエバポレータの温度に応じて設定された第１の閾値以下になると、コンプレッサーを駆動する他の目的でのエンジン２の運転を停止するようにエンジンＥＣＵ７０に指令する。
【００３０】
［１−２．処理］
以下、ＨＶ−ＥＣＵ３０が実行する内燃機関制御処理について説明する。
（１）メイン処理
図２のフローチャートは、図５に示すように、ＨＶ−ＥＣＵ３０が、エンジン２の走行用運転フラグをオフにし、エンジンＥＣＵ７０に主目的でのエンジン２の運転の停止を指令すると実行される。エアコン暖機フラグがオフの状態で走行用運転フラグがオフになることにより、エンジン運転フラグはオフになる。図５には、他の目的の運転として、冷却水を加熱するためにエンジン２を運転する例が示されている。
【００３１】
尚、第１実施形態において、エンジン運転フラグは、走行用運転フラグとエアコン暖機フラグとの少なくともいずれかがオンであればオンになり、走行用運転フラグとエアコン暖機フラグとの両方がオフであればオフになるフラグである。
【００３２】
走行用運転フラグは、オンであれば主目的でエンジン２を運転することを示し、オフであれば主目的でのエンジン２の運転を停止することを示す。エンジン運転フラグは、オンであれば主目的または他の目的でエンジン２を運転することを示し、オフであれば主目的または他の目的でのエンジン２の運転を停止することを示す。
【００３３】
ＨＶ−ＥＣＵ３０が、エンジンＥＣＵ７０に主目的でのエンジン２の運転を停止するように指令するのは、例えば中速までの定常走行などのエンジン効率の悪い運転領域、ならびに車両が停止するときなどである。
【００３４】
Ｓ４００においてＨＶ−ＥＣＵ３０は、所定の条件に基づいて冷却水温の下限値ＴＬを設定する。例えば暖房中であれば、下限値ＴＬは車室温度の設定値である。暖房中ではない場合、下限値ＴＬは、例えば排気触媒の活性温度の最低温度に対応すると推定される冷却水温である。冷却水温の上限値ＴＨは、例えば冷却水の沸点よりも低い固定値に設定される。
【００３５】
ＨＶ−ＥＣＵ３０は、冷却水温が下限値ＴＬ以下になると、図５に示すようにエアコン暖機フラグをオンにする。エアコン暖機フラグがオンになることにより、エンジン運転フラグはオンになる。そして、ＨＶ−ＥＣＵ３０は、冷却水温を上昇させるためにエンジンＥＣＵ７０に主目的ではない他の目的でのエンジン２の運転開始を指令する。エアコン暖機フラグとエンジン運転フラグとは、冷却水温が下限値ＴＬ以下になるとオンになり、冷却水温が上限値ＴＨ以上になるとオフになる。
【００３６】
Ｓ４０２においてＨＶ−ＥＣＵ３０は、冷却水温を下限値ＴＬと上限値ＴＨとの間で維持するように、主目的ではない他の目的でエンジン２を運転するか停止するかをエンジンＥＣＵ７０に指令する冷却水温制御を実行する。
【００３７】
具体的には、ＨＶ−ＥＣＵ３０は、冷却水温が下限値ＴＬ以下になると、主目的ではない他の目的でエンジン２を運転するようにエンジンＥＣＵ７０に指令し、冷却水温が上限値ＴＨ以上になると、エンジン２を停止するようにエンジンＥＣＵ７０に指令する。
【００３８】
Ｓ４０４においてＨＶ−ＥＣＵ３０は、エンジンＥＣＵ７０に主目的でのエンジン２の運転開始を指令する運転開始タイミングｔ１を予測する。Ｓ４０４の処理の詳細は後述される。
【００３９】
Ｓ４０６においてＨＶ−ＥＣＵ３０は、エンジン２の運転が停止しているときの冷却水温の低下特性ＴＨＷｐ１を設定する。Ｓ４０６の処理の詳細は後述される。Ｓ４０８においてＨＶ−ＥＣＵ３０は、現在のタイミングｔｐの冷却水温ＴＨＷ（ｔｐ）を水温計４から取得する。
【００４０】
Ｓ４１０においてＨＶ−ＥＣＵ３０は、主目的ではない他の目的でエンジン２が運転しているときに、冷却水温が上昇する上昇特性ＴＨＷｐ２を設定する。ＨＶ−ＥＣＵ３０は、例えば、Ｓ４０８で水温計４から取得する冷却水温の上昇率に基づいて上昇特性ＴＨＷｐ２を設定する。
【００４１】
Ｓ４１２においてＨＶ−ＥＣＵ３０は、冷却水温の低下特性ＴＨＷｐ１と冷却水温の上昇特性ＴＨＷｐ２とが交差するタイミングを算出する。ＨＶ−ＥＣＵ３０は、低下特性ＴＨＷｐ１と上昇特性ＴＨＷｐ２とが交差するタイミングを、エンジンＥＣＵ７０に他の目的でのエンジン２の運転を停止するように指令する運転停止タイミングｔ２として設定する。
【００４２】
Ｓ４１４においてＨＶ−ＥＣＵ３０は、ｔ２≦ｔｐであるか否か、つまり現在のタイミングｔｐが運転停止タイミングｔ２に達したか否かを判定する。Ｓ４１４の判定がＮｏである、つまりｔ２＞ｔｐの場合、現在のタイミングｔｐは運転停止タイミングｔ２にまだ達していないので、ＨＶ−ＥＣＵ３０は、エンジンＥＣＵ７０にエンジン２の停止を指令せず、処理をＳ４０２に移行する。
【００４３】
Ｓ４１４の判定がＹｅｓである、つまりｔ２≦ｔｐの場合、ＨＶ−ＥＣＵ３０は現在のタイミングｔｐが運転停止タイミングｔ２に達したと判断する。そこで、Ｓ４１６においてＨＶ−ＥＣＵ３０は、ｔ１−ｔｐ≧所定時間であるか否か、つまり運転開始タイミングｔ１と現在のタイミングｔｐとの時間差が所定時間以上であるか否かを判定する。Ｓ４１６の所定時間は、エンジン２を停止して低減できる燃料消費量と、エンジン２の運転を開始するときの燃料消費量とが同じになる時間に設定されている。
【００４４】
Ｓ４１６の判定がＮｏである、つまりｔ１−ｔｐ＜所定時間の場合、つまりｔ１とｔｐとの時間差が所定時間未満の場合、ＨＶ−ＥＣＵ３０は、現在のタイミングｔｐでエンジン２を停止してからエンジン２が主目的の走行用運転を開始するまでの時間が短すぎるので、燃料消費量を低減できないと判断する。その結果、ＨＶ−ＥＣＵ３０は、エンジン２を停止せずに本処理を終了する。
【００４５】
Ｓ４１６の判定がＹｅｓである、つまりｔ１−ｔｐ≧所定時間の場合、ＨＶ−ＥＣＵ３０は、現在のタイミングｔｐでエンジン２を停止すると燃料消費量を低減できると判断する。その結果、Ｓ４１８においてＨＶ−ＥＣＵ３０は、冷却水を加熱する他の目的でのエンジン２の運転を停止するようにエンジンＥＣＵ７０に指令し、エアコン暖機フラグをオフにする。
【００４６】
走行用運転フラグがオフの状態でエアコン暖機フラグがオフになることにより、エンジン運転フラグはオフになる。
尚、ＨＶ−ＥＣＵ３０がエンジン２を停止するように実際にエンジンＥＣＵ７０に指令するのは、ｔ２≦ｔｐとなる現在のタイミングｔｐであるが、ｔ２≒ｔｐであるから、図５ではエンジン２の停止タイミングをｔ２で示している。
【００４７】
ｔ２≦ｔｐとなる現在のタイミングｔｐでエンジン２を停止することにより、エンジン２が主目的の走行用運転を開始するまでにエンジン２が停止する時間ΔＴ１は、冷却水温が上限値ＴＨ以上になるタイミングｔ３までエンジン２の運転が継続する場合にエンジン２が停止する時間ΔＴ２よりも長くなる。
【００４８】
したがって、ｔ２≦ｔｐとなる現在のタイミングｔｐでエンジン２を停止することにより、エンジン２が主目的の走行用運転を開始するまでのエンジン２の運転時間が短くなり、燃料消費量が低減する。
【００４９】
（２）運転開始タイミング予測処理
図３のフローチャートは、図２のＳ４０４で実行される。
Ｓ４２０においてＨＶ−ＥＣＵ３０は、前回、エンジン２が主目的の走行用運転を終了してからの経過時間を計測する。Ｓ４２０で計測する経過時間の使用目的は後述される。
【００５０】
Ｓ４２２においてＨＶ−ＥＣＵ３０は、エンジン２が主目的の走行用運転を終了してからの経過時間と、経過時間までに実際にエンジン２が運転を開始する運転開始確率とを示す確率特性から、エンジン２の運転開始確率が所定値になる経過時間Ｔｘを取得する。
【００５１】
以下、確率特性について説明する。
図６に示すように、ＨＶ−ＥＣＵ３０は、エンジン２が主目的の走行用運転を終了してからの経過時間と、各経過時間でエンジン２が実際に主目的の走行用運転を開始する回数との関係を示す運転開始特性２００を取得する。運転開始特性２００は、走行実験等により予め作成されていてもよいし、走行中に学習しながら更新して作成されてもよい。
【００５２】
図３のＳ４２０で計測する経過時間は、例えば、運転開始特性２００を学習しながら更新するときに、エンジン２が主目的の走行用運転を終了してから実際に主目的の走行用運転を開始するまでの経過時間を取得するために使用される。
【００５３】
第１実施形態では、図６に示すような単純な運転開始特性２００ではなく、ＳＯＣと周辺環境センサ群４０とナビゲーション装置５０とから取得する車両内外の情報をパラメータとして、パラメータ毎にパラメータの値に応じた経過時間と走行用運転の開始回数との関係を示す運転開始特性を作成する。
【００５４】
例えば、図７に示すように、車内のバッテリ６から取得するＳＯＣについては、ＳＯＣの値に応じた運転開始特性が作成される。周辺環境センサ群４０については、例えばカメラから取得する画像データを解析し、信号が赤のために車両が停止しているときに車両の前に停止している他車両の台数に応じた運転開始特性が作成される。
【００５５】
信号機については、信号機から取得する「信号が赤から青に切り替わる時間」に応じて運転開始特性が作成される。ナビゲーション装置５０については、車両の現在位置、走行ルートに応じた運転開始特性が作成される。例えば、車両の現在位置または走行ルートに応じて、エンジン２が主目的の走行用運転を開始するまでの経過時間は異なる。
【００５６】
そして、作成された図７に示すパラメータ毎の運転開始特性が経過時間を変数として積分され、経過時間の最大値までの積分値に対する各経過時間までの部分積分値の割合を示す特性が、図８に示すような確率特性２１０、２１２として作成される。経過時間の最大値までの積分値に対する各経過時間までの部分積分値の割合が運転開始確率である。
【００５７】
そして、図７に示すパラメータ毎に確率特性から運転開始確率が基準確率である９０％になるときの経過時間を取得し、取得した経過時間の平均が算出される。そして、算出された経過時間の平均に対応するタイミングを、エンジン２が主目的の走行用運転を開始する運転開始タイミングｔ１とする。基準確率は９０パーセントに限るものではなく、要求仕様によって適宜設定される。
【００５８】
図７に示すパラメータ毎に作成された運転開始特性ではなく、すべてのパラメータを入力とする運転開始特性が作成されてもよい。つまり、各パラメータの値が特定されると、運転開始特性が一つ作成される。そして、各パラメータの値が特定された運転開始特性から、確率特性が一つ作成される。
【００５９】
図８の確率特性２１０では、経過時間が長くなるにしたがい運転開始確率の上昇率が大きくなっている。確率特性２１２では、経過時間が短い区間で運転開始確率の上昇率が大きくなっている。したがって、確率特性２１２において基準確率の９０％から８０％に運転開始確率を下げたときの経過時間の減少時間ΔＴ４は、確率特性２１０において９０％から８０％に運転開始確率を下げたときの経過時間の減少時間ΔＴ３よりも長くなっている。
【００６０】
つまり、確率特性２１２において９０％から８０％に運転開始確率を下げると、確率特性２１０において９０％から８０％に運転開始確率を下げるよりも、予測される運転開始タイミングｔ１は早まる。運転開始タイミングｔ１が早まると、他の目的でのエンジン２の運転を停止する運転停止タイミングｔ２が早くなるので、エンジン２が他の目的で運転する時間が短くなる。このように、確率特性２１２のような形状の場合、運転開始確率を下げることでエンジン２が他の目的で運転する時間が短くなるようにする。
【００６１】
一方、図８の確率特性２１０の場合、９０％から８０％に運転開始確率を下げても、他の目的でのエンジン２の運転を停止する運転停止タイミングｔ２は確率特性２１０ほど早くならない。したがって、確率特性２１０の場合には、運転開始タイミングｔ１を予測するための経過時間を設定する運転開始確率を９０％から８０パーセントに下げる必要はない。
【００６２】
次に、運転開始タイミングｔ１を予測するための経過時間を設定する運転開始確率を上げることにより、エンジン２が運転開始タイミングｔ１で主目的の走行用運転を開始しないリスクを抑制する例について、図９の確率特性２２０、２２２に基づいて説明する。
【００６３】
確率特性２２２において９０％から９５％に運転開始確率を上げたときの経過時間の増加時間ΔＴ６は、確率特性２２０において９０％から９５％に運転開始確率を上げたときの経過時間の増加時間ΔＴ５よりも長い。つまり、確率特性２２２において９０％から９５％に運転開始確率を上げるときの運転開始タイミングｔ１は、確率特性２２０において９０％から９５％に運転開始確率を上げるときの運転開始タイミングｔ１よりも遅くなる。
【００６４】
これにより、確率特性２２２において９５％の運転開始確率で予測する運転開始タイミングｔ１よりも実際にエンジン２が主目的の走行用運転を開始するタイミングが遅れるときの遅れ時間は、確率特性２２２において９０％の運転開始確率で運転開始タイミングｔ１を予測するときの遅れ時間よりも短くなる。
【００６５】
予測する運転開始タイミングｔ１よりも実際にエンジン２が主目的の走行用運転を開始するタイミングが遅れると、冷却水温が下限値を下回ることを防止するために、遅れ時間の間、エンジン２を他の目的で運転させることになる。
【００６６】
したがって、確率特性２２２のような形状の場合、基準確率よりも運転開始確率を上げることにより、予測する運転開始タイミングｔ１よりも実際にエンジン２が主目的の走行用運転を開始するタイミングが遅れても、エンジン２が他の目的で運転する時間が短くなる。
【００６７】
一方、確率特性２２０の場合、基準確率の９０％から９５％に運転開始確率を上げても、経過時間の増加時間ΔＴ５は確率特性２２２よりも短い。その結果、確率特性２２０の場合、予測する運転開始タイミングｔ１よりも実際にエンジン２が主目的の走行用運転を開始するタイミングが遅れると、遅れ時間が長くなる。
【００６８】
したがって、確率特性２２０の場合には、運転開始タイミングｔ１を予測するための経過時間を設定する運転開始確率を基準確率の９０％から９５パーセントに上げることは不適切である。
【００６９】
以上説明したように、Ｓ４２２においてエンジン２の運転開始確率が所定値になる経過時間Ｔｘを取得すると、Ｓ４２４においてＨＶ−ＥＣＵ３０は、経過時間Ｔｘに対応するタイミングをエンジン２が主目的の走行用運転を開始する運転開始タイミングｔ１として予測する。
【００７０】
尚、ＨＶ−ＥＣＵ３０は、確率特性から取得する経過時間だけではなく、車速と車両の走行に必要な走行用トルクとを予測し、エンジン２が主目的の走行用運転を開始する運転開始タイミングｔ１を予測してもよい。例えば、ＨＶ−ＥＣＵ３０は、以下の（ａ）〜（ｄ）に示す情報に基づいて、車速を予測する。
【００７１】
（ａ）ナビゲーション装置５０から取得する道路の勾配と曲率等の道路の形状、制限速度、走行ルート等。
（ｂ）信号機との通信により取得する信号待ちの有無、信号待ちの残り時間。
【００７２】
（ｃ）周辺環境センサ群４０のカメラから取得する追い越し中か否か、車両前方の走行車両の有無、停止車両の有無等の情報。
（ｄ）車車間通信、路車間通信により取得する道路の混雑状況。
【００７３】
（３）冷却水温の低下特性設定処理
図２のＳ４０６で実行する低下特性の設定処理について、図４のフローチャートに基づいて説明する。図４の低下特性の設定処理は、図２のＳ４０６が実行されるときに実行されてもよいし、所定時間間隔で常時実行されてもよい。
【００７４】
Ｓ４３０においてＨＶ−ＥＣＵ３０は、暖房のためにヒータコアから奪われる冷却水の熱量Ｑａｃを、外気温と冷却水温との温度差等をパラメータとする特性マップ等から取得する。Ｓ４３２においてＨＶ−ＥＣＵ３０は、暖房以外に、エンジン２と冷却水の配管となどから外部に奪われる冷却水の熱量Ｑｏｔを、車速と外気温となどをパラメータとする特性マップ等から取得する。
【００７５】
Ｓ４３２において使用する車速は、冷却水温が低下する間にも変化する可能性がある。そこで、ＨＶ−ＥＣＵ３０は、前述した走行開始タイミング予測処理で説明した（ａ）〜（ｄ）に示す情報に基づいて、冷却水温が低下している間の車速の変化を予測して、外部に奪われる冷却水の熱量Ｑｏｔを取得することが望ましい。
【００７６】
Ｓ４３４においてＨＶ−ＥＣＵ３０は、熱量Ｑａｃと熱量Ｑｏｔとに基づいて、冷却水温の低下速度を算出する。Ｓ４３６においてＨＶ−ＥＣＵ３０は、Ｓ４３４で算出した低下速度に基づいて冷却水温の低下特性ＴＨＷｐ１を設定する。
【００７７】
［１−３．効果］
上記第１実施形態では、以下の効果を得ることができる。
（１）エンジン２が主目的の走行用運転ではなく冷却水を加熱するための他の目的で運転しているときに、エンジン２が主目的の走行用運転を開始する運転開始タイミングｔ１を予測する。そして、他の目的で運転しているエンジン２を停止すると、冷却水温が低下して運転開始タイミングｔ１で冷却水温が下限値ＴＬに達するように、エンジン２を停止する運転停止タイミングｔ２を設定する。
【００７８】
これにより、運転開始タイミングｔ１まで冷却水を加熱するためにエンジン２を他の目的で運転する必要はなく、運転開始タイミングｔ１よりも早い運転停止タイミングｔ２でエンジン２を停止できる。その結果、エンジン２による燃料消費量を低減できる。
【００７９】
（２）確率特性２１０、２１２、２２０、２２４の形状に基づいて、運転開始タイミングｔ１を予測するための経過時間を取得する運転開始確率が設定されるので、確率特性２１２のように基準確率よりも運転開始確率を低下させて運転停止タイミングｔ２を早めることができる。これにより、エンジン２が他の目的で運転している時間を短縮し、燃料消費量を低減できる。
【００８０】
また、確率特性２２２のような形状の場合、基準確率よりも運転開始確率を上げることにより、予測する運転開始タイミングｔ１よりも実際にエンジン２が主目的の走行用運転を開始するタイミングが遅れても、エンジン２が他の目的で運転する時間を短縮できる。これにより、燃料消費量の増加を抑制できる。
【００８１】
以上説明した第１実施形態では、ＨＶ−ＥＣＵ３０が内燃機関制御装置に対応し、運転開始タイミングｔ１が第１のタイミングに対応し、運転停止タイミングｔ２が第２のタイミングに対応し、冷却水温が、主目的ではない他の目的でエンジン２を運転するか停止するかを判定するためのパラメータに対応し、冷却水温の下限値ＴＬが第１の閾値に対応し、冷却水温の上限値ＴＨが第２の閾値に対応し、低下特性ＴＨＷｐ１が第１の低下特性に対応し、上昇特性ＴＨＷｐ２が第２の上昇特性に対応する。
【００８２】
また、第１実施形態において、エンジン２が主目的の運転を停止しているときに、エバポレータの温度を低下させるためにコンプレッサーを駆動する他の目的でエンジン２を運転する場合、エバポレータの温度の上昇特性が第１の上昇特性に対応し、エバポレータの温度の低下特性が第２の低下特性に対応する。
【００８３】
また、Ｓ４０２が第１の指令部の処理に対応し、Ｓ４０４、Ｓ４２０〜Ｓ４２４が開始タイミング予測部の処理に対応し、Ｓ４０６、Ｓ４１０、Ｓ４３０〜Ｓ４３６が特性取得部の処理に対応し、Ｓ４０８がパラメータ取得部の処理に対応し、Ｓ４１２が停止タイミング設定部の処理に対応し、Ｓ４１８が第２の指令部の処理に対応する。
【００８４】
［２．第２実施形態］
［２−１．第１実施形態との相違点］
第２実施形態の内燃機関制御システムの構成は、第１実施形態の内燃機関制御システムと実質的に同じであるが、内燃機関制御処理の内容が第１実施形態と異なる。第１実施形態と同じ構成部分については同一符号を用いる。第１実施形態と同一符号については、先行する説明を参照する。
【００８５】
図１０に示すフローチャートにおいて、Ｓ４４０〜Ｓ４４８、Ｓ４５２、Ｓ４５４の処理は、第１実施形態の図２のＳ４００〜Ｓ４０８、Ｓ４１６、Ｓ４１８の処理と実質的に同一であるから説明を省略する。
【００８６】
Ｓ４５０においてＨＶ−ＥＣＵ３０は、現在のタイミングｔｐにおける冷却水温ＴＨＷ（ｔｐ）が冷却水温の低下特性ＴＨＷｐ１上に達しているか否かを判定する。Ｓ４５０の判定がＮｏである、つまり冷却水温ＴＨＷ（ｔｐ）が低下特性ＴＨＷｐ１上に達していない場合、処理はＳ４４２に移行する。
【００８７】
Ｓ４５０の判定がＹｅｓである、つまり冷却水温ＴＨＷ（ｔｐ）が低下特性ＴＨＷｐ１上に達している場合、現在のタイミング（ｔｐ）が冷却水を加熱する他の目的でのエンジン２の運転を停止する運転停止タイミングｔ２であるとＨＶ−ＥＣＵ３０は判断する。そして、処理はＳ４５２に移行する。
【００８８】
［２−２．効果］
第２実施形態では、第１実施形態の効果（１）、（２）に加え、以下の効果を得ることができる。
【００８９】
現在のタイミングｔｐにおける実際の冷却水温ＴＨＷ（ｔｐ）が冷却水温の低下特性ＴＨＷｐ１に達しているか否かを判定して運転停止タイミングｔ２を設定するので、運転停止タイミングｔ２を高精度に設定できる。
【００９０】
第２実施形態得では、Ｓ４４２が第１の指令部の処理に対応し、Ｓ４４４が開始タイミング予測部の処理に対応し、Ｓ４４６が特性取得部の処理に対応し、Ｓ４４８がパラメータ取得部の処理に対応し、Ｓ４５０が停止タイミング設定部の処理に対応し、Ｓ４５４が第２の指令部の処理に対応する。
【００９１】
［３．第３実施形態］
［３−１．第１実施形態との相違点］
第３実施形態の内燃機関制御システムの構成は、第１実施形態の内燃機関制御システムと実質的に同じであるが、内燃機関制御処理の内容が第１実施形態と異なる。第１実施形態と同じ構成部分については同一符号を用いる。第１実施形態と同一符号については、先行する説明を参照する。
【００９２】
図１１の矢印に示すように、予測した運転開始タイミングｔ１よりもエンジン２が実際に主目的の走行用運転を開始するタイミングが遅くなり、エンジン２が実際に主目的の走行用運転を開始する前に冷却水温が下限値ＴＬに達することがある。この場合、ＨＶ−ＥＣＵ３０は、ヒータコアを流れる冷却水の流量を低減して暖房により奪われる冷却水の熱量を低減する。そして、ＨＶ−ＥＣＵ３０は、バッテリ６のＳＯＣがバッテリ６を充電する必要のあるＳＯＣ下限値よりも十分に大きい場合、バッテリ６の電力でヒータ等により冷却水を加熱する。これにより、エンジン２が実際に主目的の走行用運転を開始するまで、冷却水温が下限値ＴＬを下回ることを抑制する。
【００９３】
［３−２．効果］
第３実施形態では、第１実施形態の効果（１）、（２）に加え、以下の効果を得ることができる。
【００９４】
（１）エンジン２が実際に主目的の走行用運転を開始する前に冷却水温が下限値ＴＬに達しそうになると、バッテリ６の電力でヒータ等により冷却水を加熱する。これにより、冷却水温が下限値ＴＬ以下になってエンジン２が他の目的で運転することを抑制できる。その結果、エンジン２の燃料消費量を低減できる。
【００９５】
（２）第１実施形態で説明した確率特性から経過時間を取得するときの運転開始確率を基準確率よりも下げて予測した運転開始タイミングｔ１に対し、実際にエンジン２が主目的の走行用運転を開始するタイミングが遅くなっても、冷却水温が下限値ＴＬ以下になることを抑制できる。
【００９６】
［４．第４実施形態］
［４−１．第１実施形態との相違点］
第４実施形態の内燃機関制御システムの構成は、第１実施形態の内燃機関制御システムと実質的に同じであるが、内燃機関制御処理の内容が第１実施形態と異なる。第１実施形態と同じ構成部分については同一符号を用いる。第１実施形態と同一符号については、先行する説明を参照する。
【００９７】
第４実施形態では、図１２に示すように、ＨＶ−ＥＣＵ３０は、バッテリ６のＳＯＣが下限値ＣＬ以下になると、バッテリ充電フラグをオンにする。バッテリ充電フラグがオンになることにより、エンジン運転フラグはオンになる。そして、ＨＶ−ＥＣＵ３０は、ＳＯＣを上昇させるためにエンジンＥＣＵ７０に主目的ではない他の目的でのエンジン２の運転開始を指令する。
【００９８】
尚、第４実施形態において、エンジン運転フラグは、走行用運転フラグとバッテリ充電フラグとの少なくともいずれかがオンであればオンになり、走行用運転フラグとバッテリ充電フラグとの両方がオフであればオフになるフラグである。
【００９９】
ＨＶ−ＥＣＵ３０は、エンジン２が主目的の走行用運転を終了してからの経過時間と、経過時間までに実際にエンジン２が運転を開始する運転開始確率とを示す確率特性から、エンジン２の運転開始確率が所定値になる経過時間を取得する。そして、ＨＶ−ＥＣＵ３０は、経過時間からエンジンＥＣＵ７０に主目的でのエンジン２の運転開始を指令する運転開始タイミングｔ１を予測する。
【０１００】
そして、ＨＶ−ＥＣＵ３０は、運転開始タイミングｔ１から設定するＳＯＣの低下特性２３０と、ＳＯＣの上昇率から設定する上昇特性２３２とに基づいて、バッテリ６を充電する他の目的でのエンジン２の運転を停止する運転停止タイミングｔ２を設定する。
【０１０１】
［４−２．効果］
第４実施形態では、第１実施形態の効果（２）に加え、以下の効果を得ることができる。
【０１０２】
エンジン２が主目的の走行用運転ではなくバッテリ６を充電するための他の目的で運転しているときに、エンジン２が主目的の走行用運転を開始する運転開始タイミングｔ１を予測する。そして、他の目的で運転しているエンジン２を停止すると、ＳＯＣが低下して運転開始タイミングｔ１でＳＯＣが下限値ＣＬに達するように、エンジン２を停止する運転停止タイミングｔ２を設定する。
【０１０３】
これにより、運転開始タイミングｔ１までバッテリ６を充電するためにエンジン２を運転する必要はなく、運転開始タイミングｔ１よりも早い運転停止タイミングｔ２でエンジン２を停止できる。その結果、エンジン２による燃料消費を低減できる。
【０１０４】
第４実施形態では、ＳＯＣが主目的ではない他の目的でエンジン２を運転するか停止するかを判定するためのパラメータに対応し、低下特性２３０が第１の低下特性に対応し、上昇特性２３２が第２の上昇特性に対応する。
【０１０５】
［５．第５実施形態］
［５−１．第１実施形態との相違点］
第５実施形態の内燃機関制御システムの構成は、第１実施形態の内燃機関制御システムと実質的に同じであるが、内燃機関制御処理の内容が第１実施形態と異なる。第１実施形態と同じ構成部分については同一符号を用いる。第１実施形態と同一符号については、先行する説明を参照する。
【０１０６】
第１実施形態では、周辺環境センサ群４０とナビゲーション装置５０と通信装置６０となどから取得する車外の周囲環境の情報に基づいて作成された確率特性から、通常、基準確率の９０％を運転開始確率として運転開始確率に対応する経過時間を取得した。
【０１０７】
しかし、走行環境によっては、車外の周囲環境の情報を十分に得られないために、車外の周囲環境の情報に基づいて確率特性を作成できないことがある。このような場合、図６に示すような、エンジン２が主目的の走行用運転を終了してからの経過時間と、各経過時間でエンジン２が実際に主目的の走行用運転を開始する回数との関係を示す運転開始特性２００から確率特性が生成される。
【０１０８】
このような場合、第５実施形態では、運転開始タイミングｔ１を予測して運転停止タイミングｔ２でエンジン２を停止することにより生じたエンジン停止時間の合計に応じて、運転開始特性２００から生成された確率特性に基づいて、運転開始タイミングｔ１を予測するための経過時間を取得する運転開始確率が設定される。
【０１０９】
具体的には、図１３の上側に示すように、これまでの走行において、運転開始タイミングｔ１を予測せずにエンジン２を他の目的で運転させた場合のエンジン停止時間を基準とし、運転開始タイミングｔ１を予測して運転停止タイミングｔ２でエンジン２を停止することにより、停止時間が増加すると＋、減少すると−とする。
【０１１０】
そして、図１３の下側に示す特性２４０ように、エンジン停止時間の合計が０の場合の運転開始確率を基準確率の９０％とし、エンジン停止時間の合計が＋であれば増加分に応じて運転開始確率を下げ、エンジン停止時間の合計が−であれば減少分に応じて運転開始確率を上げる。図１３では、エンジン停止時間の合計が＋であり、運転開始確率は基準確立の９０％よりも低下して８０％になっている。
【０１１１】
運転開始確率を下げると運転停止タイミングｔ２が早くなるので、運転開始タイミングｔ１までにエンジン２が主目的の走行用運転を開始すれば、基準確率のときよりもエンジン停止時間は増加する。
【０１１２】
これに対し、運転開始タイミングｔ１までにエンジン２が主目的の走行用運転を開始しないと、例えば冷却水温が下限値ＴＬまで低下してエンジン２が他の目的で運転を開始し、エンジン停止時間が減少するおそれがある。しかし、これまでのエンジン停止時間の合計が＋であれば、今回エンジン停止時間が減少しても、減少分を補える。
【０１１３】
［５−２．効果］
第５実施形態では、第１実施形態の効果（１）に加え、以下の効果を得ることができる。
【０１１４】
これまでの走行において、運転開始タイミングｔ１を予測して運転停止タイミングｔ２でエンジン２を停止することにより、増減した停止時間に応じて、確率特性において、運転開始タイミングｔ１を予測するための経過時間を取得する運転開始確率が設定される。
【０１１５】
このように、車外の周囲環境の情報を十分に得られない場合であっても、これまでの走行におけるエンジン停止時間の実績に基づいて運転開始確率を設定できる。
［６．第６実施形態］
［６−１．第１実施形態との相違点］
第６実施形態の内燃機関制御システムの構成は、第１実施形態の内燃機関制御システムと実質的に同じであるが、内燃機関制御処理の内容が第１実施形態と異なる。第１実施形態と同じ構成部分については同一符号を用いる。第１実施形態と同一符号については、先行する説明を参照する。
【０１１６】
第６実施形態では、車両の速度パターンから運転開始タイミングｔ１を予測する。具体的には、図１４に示すように、車両が赤信号のために信号機の手前で停止する場合、同じ車速から減速しても、速度パターン２５０と速度パターン２５２とでは、速度パターン２５０の方が減速の開始タイミングが早く減速率が大きい。
【０１１７】
これは、速度パターン２５０による停止は、速度パターン２５２による停止よりも信号機に近い位置で信号が赤に変わったためだと考えられる。この場合、信号が赤に変わってから車両が停止するまでの時間は、速度パターン２５０の方が速度パターン２５２よりも短い。
【０１１８】
したがって、車両が停止してから、信号が赤から青に変わりエンジン２が主目的の走行用運転を開始するまでの時間は速度パターン２５０の方が速度パターン２５２よりも長くなると予測できる。
【０１１９】
したがって、ＨＶ−ＥＣＵ３０は、速度パターン２５０、２５２に基づいて、信号が赤から青に変わる信号タイミングを予測できる。そして、ＨＶ−ＥＣＵ３０は、信号タイミングから、エンジン２が主目的の走行用運転を開始する運転開始タイミングｔ１を予測できる。
【０１２０】
また、図１５に示すように、車両が信号が赤のために減速を開始するときの車速が速度パターン２６０では６０ｋｍ／ｈ、速度パターン２５２では４０ｋｍ／ｈの場合、車両は異なる道路を走行していると考えられる。そして、速度パターン２６０の道路の方が速度パターン２６２の道路よりも制限速度が速いと考えられる。例えば、速度パターン２６０の道路は幹線道路であり、速度パターン２５２の道路は幹線道路と交差する道路であると考えられる。
【０１２１】
通常、幹線道路の方が幹線道路と交差する道路よりも信号が赤になっている時間は短い。したがって、車両が停止してから、信号が赤から青に変わりエンジン２が主目的の走行用運転を開始するまでの時間は、速度パターン２５０の方が速度パターン２６２よりも短いと予測できる。したがって、ＨＶ−ＥＣＵ３０は、速度パターン２６０、２６２に基づいて、エンジン２が主目的の走行用運転を開始する運転開始タイミングｔ１を予測できる。
【０１２２】
［６−２．効果］
第６実施形態では、第１実施形態の効果（１）に加え、以下の効果を得ることができる。
【０１２３】
ナビゲーション装置５０から車両の現在位置を取得できず車両が走行している道路が分からなかったり、信号機から信号の色が変わるタイミングを通信により取得できないときに、車両の速度パターンに基づいて運転開始タイミングｔ１を予測できる。
【０１２４】
［７．他の実施形態］
（１）上記実施形態では、車両に搭載されたエンジン２が主目的の走行用運転を停止し、走行用運転ではない他の目的で運転しているときに、エンジン２が主目的の走行用運転を開始する運転開始タイミングを予測した。車両以外にも、例えば船舶、列車、発電用に使用される内燃機関において、内燃機関が主目的の運転を停止し、主目的ではない他の目的で運転しているときに、内燃機関が主目的の運転を開始する運転開始タイミングを予測してもよい。
【０１２５】
（２）上記実施形態で説明したハイブリッド車両以外に、アイドルストップを実行する車両において、アイドルストップ中に、内燃機関が主目的の走行用運転を停止し、主目的の走行用運転ではない他の目的で運転しているときに、内燃機関が主目的の走行用運転を開始する運転開始タイミングｔ１を予測してもよい。
【０１２６】
（３）第１実施形態で説明した冷却水温の低下特性と上昇特性とが交差するタイミングを運転停止タイミングに設定する処理と、第２実施形態で説明した現在の冷却水温が冷却水音の低下特性上に達するタイミングを運転停止タイミングに設定する処理とを併用してもよい。この場合、併用する運転停止タイミングの設定処理において、設定されたタイミングの早いほうを運転停止タイミングにすることが望ましい。
【０１２７】
（４）上記実施形態における一つの構成要素が有する複数の機能を複数の構成要素によって実現したり、一つの構成要素が有する一つの機能を複数の構成要素によって実現したりしてもよい。また、複数の構成要素が有する複数の機能を一つの構成要素によって実現したり、複数の構成要素によって実現される一つの機能を一つの構成要素によって実現したりしてもよい。また、上記実施形態の構成の一部を省略してもよい。また、上記実施形態の構成の少なくとも一部を、他の上記実施形態の構成に対して付加又は置換してもよい。尚、特許請求の範囲に記載した文言のみによって特定される技術思想に含まれるあらゆる態様が本開示の実施形態である。
【０１２８】
（５）上述した内燃機関制御装置の他、当該内燃機関制御装置を構成要素とする内燃機関制御システム、当該内燃機関制御装置としてコンピュータを機能させるための内燃機関制御プログラム、この内燃機関制御プログラムを記録した記録媒体、内燃機関制御方法など、種々の形態で本開示を実現することもできる。
【符号の説明】
【０１２９】
２：エンジン（内燃機関）、３０：ＨＶ−ＥＣＵ（内燃機関制御装置）、７０：エンジンＥＣＵ（制御部）
【図１】
2018159297.tif 000003
【図２】
2018159297.tif 000004
【図３】
2018159297.tif 000005
【図４】
2018159297.tif 000006
【図５】
2018159297.tif 000007
【図６】
2018159297.tif 000008
【図７】
2018159297.tif 000009
【図８】
2018159297.tif 000010
【図９】
2018159297.tif 000011
【図１０】
2018159297.tif 000012
【図１１】
2018159297.tif 000013
【図１２】
2018159297.tif 000014
【図１３】
2018159297.tif 000015
【図１４】
2018159297.tif 000016
【図１５】
2018159297.tif 000017